(57)【要約】【課題】  蛍光フローサイトメトリー法で生菌数計測が正しく行われていることを確認可能な微生物検査装置及び検査方法を提供する。【解決手段】  検出液の流動状態または光学検出の位置状態について生菌数計測中も各々のセンサーで情報を得て計測状態を把握する。例えば、検出液の流動状態として流量センサー（差圧計）から情報と光検出器からの菌数頻度分布の情報を得て正常な流動、異常な流動（流体の漏れ、流路の詰まり等の異常の原因）を認識し、光学検出の位置状態として光検出器から情報を得て正常な検出位置、異常な検出位置（位置ずれ）を認識し、流動状態と位置状態の情報から計測状態（正常か異常か、異常な場合はその原因）を把握できるようする。【選択図】図１２
2013044585.tif 000002
【特許請求の範囲】
【請求項１】
検体が保持される検体容器、試薬液が保持される試薬液容器、微生物検出用流路、前記検体容器と前記試薬液容器及び前記試薬液容器と前記微生物検出用流路をそれぞれ接続する流路を備えた微生物検査チップと、
前記微生物検査チップを保持すると共に前記微生物検査チップを移動させるステージと、
前記微生物検査チップと接続され、前記検体を前記検体容器から前記試薬液容器に搬送し、前記検体と前記試薬液からなる検出液を前記試薬液容器から前記微生物検出用流路に搬送する圧力を供給する圧力供給装置と、
前記微生物検出用流路に励起光を照射する光源、前記微生物検出用流路を流れる前記検出液からの蛍光を検出して電気信号に変換する光検出器を有する検出装置と、
前記圧力供給装置と前記微生物検査チップとの間に配置された流量センサーと、
前記圧力供給装置、前記検出装置及び前記流量センサーと接続し、前記圧力供給装置に制御信号の出力と前記検出装置及び前記流量センサーからの電気信号を処理する制御装置と、
前記制御装置で処理された検出結果を表示する出力装置とを有し、
前記制御装置は、前記流量センサーからの電気信号に基づき前記微生物検査チップと前記圧力供給装置との間における漏れの有無を判定し、前記光検出器からの電気信号に基づき蛍光強度の強弱を判定して前記微生物検出用流路の位置状態を判定し、前記出力装置に前記漏れの有無と前記位置状態を出力することを特徴とする微生物検査装置。
【請求項２】
検体が保持される検体容器、試薬液が保持される試薬液容器、微生物検出用流路、前記検体容器と前記試薬液容器及び前記試薬液容器と前記微生物検出用流路をそれぞれ接続する流路を備えた微生物検査チップと、
前記微生物検査チップを保持すると共に前記微生物検査チップを移動させるステージと、
前記微生物検査チップと接続され、前記検体を前記検体容器から前記試薬液容器に搬送し、前記検体と前記試薬液からなる検出液を前記試薬液容器から前記微生物検出用流路に搬送する圧力を供給する圧力供給装置と、
前記微生物検出用流路に励起光を照射する光源、前記微生物検出用流路を流れる前記検出液からの蛍光を検出して電気信号に変換する光検出器を有する検出装置と、
前記圧力供給装置及び前記検出装置と接続し、前記圧力供給装置に制御信号の出力と前記検出装置からの電気信号を処理する制御装置と、
前記制御装置で処理された検出結果を表示する出力装置とを有し、
前記制御装置は、前記光検出器からの電気信号に基づき蛍光強度の強弱を判定して前記微生物検出用流路の位置状態を判定し、前記出力装置に前記位置状態を出力することを特徴とする微生物検査装置。
【請求項３】
検体が保持される検体容器、試薬液が保持される試薬液容器、微生物検出用流路、前記検体容器と前記試薬液容器及び前記試薬液容器と前記微生物検出用流路をそれぞれ接続する流路を備えた微生物検査チップと、
前記微生物検査チップを保持すると共に前記微生物検査チップを移動させるステージと、
前記微生物検査チップと接続され、前記検体を前記検体容器から前記試薬液容器に搬送し、前記検体と前記試薬液からなる検出液を前記試薬液容器から前記微生物検出用流路に搬送する圧力を供給する圧力供給装置と、
前記微生物検出用流路に励起光を照射する光源、前記微生物検出用流路を流れる前記検出液からの蛍光を検出して電気信号に変換する光検出器を有する検出装置と、
前記圧力供給装置と前記微生物検査チップとの間に配置された流量センサーと、
前記圧力供給装置、前記検出装置及び前記流量センサーと接続し、前記圧力供給装置に制御信号の出力と前記検出装置及び前記流量センサーからの電気信号を処理する制御装置と、
前記制御装置で処理された検出結果を表示する出力装置とを有し、
前記制御装置は、前記流量センサーからの電気信号に基づき前記微生物検査チップと前記圧力供給装置との間における漏れの有無を判定し、前記出力装置に前記漏れの有無を出力することを特徴とする微生物検査装置。
【請求項４】
請求項１又は３において、前記流量センサーは、差圧計であることを特徴とする微生物検査装置。
【請求項５】
請求項４において、前記差圧計は前記圧力供給装置と前記微生物検査チップとの間に設けた流路抵抗の両端の差圧を測定することを特徴とする微生物検査装置。
【請求項６】
請求項１〜３の何れかにおいて、前記制御装置は、前記光検出器からの検出数頻度分布の情報に基づき微生物検査チップ内での流動状態を判定し、前記出力装置に前記流動状態を出力することを特徴とする微生物検査装置。
【請求項７】
検体が保持される検体容器、試薬液が保持される試薬液容器、微生物検出用流路、前記検体容器と前記試薬液容器及び前記試薬液容器と前記微生物検出用流路をそれぞれ接続する流路を備えた微生物検査チップと、前記微生物検査チップを保持すると共に前記微生物検査チップを移動させるステージと、前記微生物検査チップと接続され、前記検体を前記検体容器から前記試薬液容器に搬送し、前記検体を前記試薬液からなる検出液を前記試薬液容器から前記微生物検出用流路に搬送する圧力を供給する圧力供給装置と、前記微生物検出用流路に励起光を照射する光源、前記微生物検出用流路を流れる前記検出液からの蛍光を検出して電気信号に変換する光検出器を有する検出装置と、前記圧力供給装置及び前記検出装置と接続し、前記圧力供給装置に制御信号の出力と前記検出装置からの電気信号を処理する制御装置と、前記圧力供給装置と前記微生物検査チップとの間に配置された流量センサーと有する微生物検査装置を用いた微生物検査方法であって、
前記微生物検査チップを前記ステージの所定箇所に装着するステップ、
前記微生物検査チップと前記検出装置との位置合わせをするステップ、
前記圧力供給装置から圧力を供給し、前記検出液を前記微生物検査チップ内で流動させ、前記検出液が前記微生物検出用流路を流動する際に前記光源から励起光を照射し、前記光検出器により蛍光を検出して電気信号に変換して出力するステップとを有し、
前記蛍光を検出して電気信号に変換して出力する際に、前記流量センサーから得られる流量情報及び／又は前記光検出器から得られる蛍光強度の強弱の情報を併せて出力することを特徴とする微生物検査方法。
【請求項８】
検体が保持される検体容器、試薬液が保持される試薬液容器、微生物検出用流路、前記検体容器と前記試薬液容器及び前記試薬液容器と前記微生物検出用流路をそれぞれ連絡する流路を備えた微生物検査チップと、前記微生物検査チップを保持すると共に前記微生物検査チップを移動させるステージと、前記微生物検査チップと接続され、前記検体を前記検体容器から前記試薬液容器に搬送し、前記検体と前記試薬液からなる検出液を前記試薬液容器から前記微生物検出用流路に搬送する圧力を供給する圧力供給装置と、前記微生物検出用流路に励起光を照射する光源、前記微生物検出用流路を流れる前記検出液からの蛍光を検出して電気信号に変換する光検出器を有する検出装置と、前記圧力供給装置及び前記検出装置と接続し、前記圧力供給装置に制御信号の出力と前記検出装置からの電気信号を処理する制御装置と、前記圧力供給装置と前記微生物検査チップとの間に配置された流量センサーと有する微生物検査装置を用いた微生物検査方法であって、
前記微生物検査チップを前記ステージの所定箇所に装着するステップ、
前記微生物検査チップと前記検出装置との位置合わせをするステップ、
前記圧力供給装置から圧力を供給し、前記検出液を前記微生物検査チップ内で流動させ、前記検出液が前記微生物検出用流路を流動する際に前記光源から励起光を照射し、前記光検出器により蛍光を検出して電気信号に変換して出力するステップとを有し、
前記蛍光を検出して電気信号に変換して出力する際に、前記流量センサーから得られる流量情報又は前記光検出器から得られる蛍光強度の強弱の情報に基づき微生物検査装置に異常がないか判断することを特徴とする微生物検査方法。
【請求項９】
請求項８において、前記流量センサーから得られる流動情報と前記光検出器から得られる蛍光強度の情報とに基づき、前記微生物検査装置の異常原因を推定するステップを有することを特徴とする微生物検査方法。
【請求項１０】
請求項８において、微生物の検出信号がない又は所定値よりも小さい場合、前記流量センサーから得られる流動情報又は前記光検出器から得られる蛍光強度の強弱の情報に基づき微生物検査装置に異常がないか判断することを特徴とする微生物検査方法。
【発明の詳細な説明】
【技術分野】
【０００１】
本発明は微生物検査装置及び検査方法にかかり、特に、微生物検査チップを用い、蛍光サイトメトリー法により生菌数を計測する微生物検査装置及び検査方法に関する。
【背景技術】
【０００２】
生菌数計測を行う微生物検査装置として、蛍光フローサイトメトリー法を用いたものがある。蛍光フローサイトメトリー法は、蛍光色素によって染色した検体を含む流体が、小さな径の流路を通過するとき、検体を一個ずつ直接計測する粒子計測方法である。
【０００３】
蛍光フローサイトメトリー法を用いた微生物検査装置では、低価格化を実現し、洗浄の手間を省略するために、検体の個数の測定を行う流路部分（検出流路）をディスポーザブルなチップ（検査チップ）によって形成することが提案されている。検査チップを用いた微生物検査装置では、検査チップを検査装置本体に装着する毎に、検出流路の位置合わせ、即ち、励起光と検出器の焦点に検査チップの検出流路の位置を合わせる作業を行うことになる。このような微生物検査装置としては、例えば、特許文献１や２に記載のものがある。
【０００４】
尚、蛍光フローサイトメトリー法ではないが、生化学反応カートリッジ内の微細な流路の詰まりなどを検知する技術として、特許文献３に記載のものがある。特許文献３では、流路の検査を、生化学反応の製造時の出荷前検査として行うことの他に、生化学反応カートリッジを用いて生化学反応を行う際の直前の検査として行うことも記載されている。
【先行技術文献】
【特許文献】
【０００５】
【特許文献１】特開２０１０−２５６２７８号公報
【特許文献２】特開２００９−２８１７５３号公報
【特許文献３】特開２００８−１３９０９６号公報
【発明の概要】
【発明が解決しようとする課題】
【０００６】
蛍光フローサイトメトリー法で生菌数計測を不具合無く行うためには、検出流路が光学検出に適した場所に位置し、かつ、検体液が検出流路内を流動していることが不可欠である。特に、検出流路を含んだ検査チップを着脱して計測する微生物検査装置の場合は、検査チップを検査装置に装着する毎に検査チップ（検出流路）の位置状態を認識して計測状態を把握することが重要となる。
【０００７】
特許文献１や２には、分析チップ（検査チップ）を検査装置に取り付けた際に高精度に位置合わせする手法が記載されている。しかし、計測開始後には、分析チップと光学検出装置との位置状態を継続して把握することはなされていない。
【０００８】
また、特許文献３では、生化学反応カートリッジを用いて生化学反応を行う際の直前の生化学反応カートリッジの検査として流路の検査を行うことが記載されているが、生化学反応を行っている際は流動状態を把握することはなされていない。
【０００９】
即ち、特許文献１などに記載されているように、従来、微生物検査装置などでは、検査などの開始前に位置状態や流路の状態が正常であることを認識するにとどまっている。即ち、従来は、検査などを開始した後は位置状態や流動状態を継続して把握するようにはなっていない。
【００１０】
しかし、例え、検査開始前に高精度に位置合わせ作業などをしていても、何等かの原因で計測中の位置状態や流動状態が正常な状態にない場合があり得る。生菌数がある程度検出されていれば、検出流路が正常な位置にあり、また、流動状態も正常であると推測できる。しかし、生菌が検出されていない（または、生菌数が少ししか計測されていない）ときに、それが真に生菌（微生物）がない（または、少ない）ことに起因するものか、或いは、検査チップを含む微生物検査装置側に何等かの問題があることに起因するものか判別することは、微生物検査装置における生菌数計測の結果をより高信頼性のものとするために重要であると言える。
【００１１】
本発明の目的は、蛍光フローサイトメトリー法で生菌数計測が正しく行われていることを確認可能な微生物検査装置及び検査方法を提供することである。
【００１２】
また、本発明の他の目的は、蛍光フローサイトメトリー法による生菌数計測において計測が正しく行われていないと判断されるときに、その原因を推定することが可能な微生物検査装置及び検査方法を提供することである。
【課題を解決するための手段】
【００１３】
上記目的を達成するために、本発明は、検出液の流動状態または光学検出の位置状態について生菌数計測中も各々のセンサー（検出器）で情報を得て計測状態を把握するようにしたものである。
【００１４】
例えば、本発明では、検出液の流動状態として流量センサー（差圧計）から情報と菌数頻度分布の情報を得て正常な流動、異常な流動（流体の漏れ、流路の詰まり等の異常の原因）を認識し、光学検出の位置状態として光検出器から情報を得て正常な検出位置、異常な検出位置（位置ずれ）を認識し、流動状態と位置状態の情報から計測状態（正常か異常か、異常な場合はその原因）を把握できるようしたものである。
【発明の効果】
【００１５】
本発明によれば、蛍光フローサイトメトリー法で生菌数計測が正しく行われていることが確認可能となる。
【００１６】
また、本発明によれば、蛍光フローサイトメトリー法による生菌数計測において計測が正しく行われていないと判断されるときに、その原因を推定することが可能となる。
【図面の簡単な説明】
【００１７】
【図１】本発明の一実施例に係る微生物検査装置の概略構成を示す図である。
【図２】図１に示す微生物検査装置における微生物検査チップの概略構成を示す図である。
【図３Ａ】図１に示す微生物検査装置の微生物検出チップにおける本体と微生物検出部の接合部の断面図である。
【図３Ｂ】図３Ａに示す微生物検出部の分解構造を示す斜視図である。
【図４】図１に示す微生物検査装置の圧力供給装置の他の構成例を示す図である。
【図５】図１に示す微生物検査装置を用いた微生物検査方法の一実施例を説明する図である。
【図６】図１に示す微生物検査装置において計測状態が正常の場合の流動状態と位置状態を示す図である。
【図７】図１に示す微生物検査装置において計測状態が位置ずれしている場合の流動状態と位置状態を示す図である。
【図８】図１に示す微生物検査装置において計測状態が流体の漏れが発生している場合の流動状態と位置状態を示す図である。
【図９】図１に示す微生物検査装置において計測状態が位置ずれと流体の漏れが発生している場合の流動状態と位置状態を示す図である。
【図１０】図１に示す微生物検査装置において計測状態が流路の詰まりが発生している場合の流動状態と位置状態を示す図である。
【図１１Ａ】計測状態が正常の場合の菌数ヒストグラムについて説明を示す図である。
【図１１Ｂ】計測状態が詰まりの場合の菌数ヒストグラムについて説明を示す図である。
【図１２】流動状態及び位置状態と計測状態（正常か異常か、異常な場合はその原因）との関係について説明する図である。
【発明を実施するための形態】
【００１８】
以下、図面を参照して、本発明の実施の形態を説明する。なお、後述する実施の形態は一例であって、各実施の形態同士の組み合わせ、公知又は周知の技術との組み合わせや置換による他の態様も可能である。
【００１９】
また、本明細書において、微生物検査装置及び検査方法とは、細胞や微生物の検査装置及び検査方法を意味し、微生物のみの検査装置及び検査方法に限定されるものではない。また、本明細書及び特許請求の範囲において、「細胞または微生物」と表記しないで、単に「微生物」と表記するが「細胞」も含まれるものとする。
（Ａ）微生物検査装置の全体構成例
図１に、本発明の一実施例に係る微生物検査装置１の構成図を示す。微生物検査装置１は、微生物検査チップ１０、検出装置１１、圧力供給装置１４、システム装置１８、出力装置１９、Ｘ−Ｙ可動ステージ１２５から構成されている。
【００２０】
微生物検査チップ１０は、検体や試薬を内部に保持し、微生物計測に必要な工程を行うための機構を内部に備えている。Ｘ−Ｙ可動ステージ１２５は、微生物検査チップ１０を保持し、微生物検査チップ１０の位置を調整する。微生物検査チップ１０は、基本的には一度限りの使用であり、検査毎に、Ｘ−Ｙ可動ステージ１２５に装着して位置調整が行われ、検査終了後にＸ−Ｙ可動ステージ１２５から取り外される。検出装置１１は微生物検査チップ１０内の微生物に励起光を照射し、微生物からの散乱光及び蛍光を電気信号に変換する。圧力供給装置１４は微生物計測に必要な工程を行うために、微生物検査チップ１０と連結したチップ連結管１４４１〜１４４４を介して、微生物検査チップ１０内の検体や試薬の搬送を制御する。システム装置（制御装置）１８は微生物検査装置１の各構成要素（検出装置１１、圧力供給装置１４、出力装置１９、Ｘ−Ｙ可動ステージ１２５）に接続し、圧力供給装置１４に対する制御信号の出力と、検出装置１１から入力される電気信号に対する信号処理を実行する。出力装置１９はシステム装置１８における電気信号の処理により得られた計測結果を表示する。
（Ｂ）微生物検査チップの構成例
微生物検査チップ１０の詳細を説明する。図２に微生物検査チップ１０の構成例である平面図を示す。微生物検査チップ１０は、液体の検体１５１１を保持するための検体容器１５１と、検体中の微生物を染色するための染色液（試薬液）１５２１を保持する微生物染色液容器１５２と、検体と染色液を混合し反応させた検出液を保持する検出液容器１５５と、検出装置１１の励起光源１１１より励起光１１３を照射し、微生物の蛍光を観測するための微生物検出用流路１７３を内部に備えた微生物検出部１７と、微生物検出用流路１７３を通過した検体１５１１と染色液１５２１の混合液である検出液を廃棄するための検出液廃棄容器１５６を備えている。この明細書においては、検体の流れに沿って検体容器１５１の側を上流側、微生物検出用流路１７３の側を下流側と定義する。
【００２１】
さらに、微生物検査チップ１０は、検体容器１５１、微生物染色液容器１５２、検出液容器１５５、微生物検出用流路１７３を連結し、検体１５１１や混合液が流動する溶液用流路１５７１〜１５７４と、圧力供給装置１４のチップ連結管１４４１〜１４４４と接続される通気口１５９１〜１５９４と、通気口１５９１〜１５９４と各容器（１５１，１５２，１５５，１５６）を接続する通気用流路１５８１〜１５８４を備えている。
【００２２】
溶液用流路１５７１〜１５７４、通気口１５９１〜１５９４及び通気用流路１５８１〜１５８４は連結する容器の名称から、検体容器−微生物染色液容器間流路１５７１、微生物染色液容器−検出液容器間流路１５７２、検出液容器−微生物検出用流路間流路１５７３、微生物検出用流路−検出液廃棄容器間流路１５７４、検体容器通気口１５９１、微生物染色液容器通気口１５９２、検出液容器通気口１５９３、検出液廃棄容器通気口１５９４、検体容器通気流路１５８１、微生物染色液容器通気流路１５８２、検出液容器通気流路１５８３、検出液廃棄容器通気流路１５８４とする。
【００２３】
また、検体容器−微生物染色液容器間流路１５７１の検体容器１５１側には、検体中に含まれる食品残渣を取り除くためのフィルタである食品残渣除去部１６０を設けている。
【００２４】
検体容器１５１と、食品残渣除去部１６０と、微生物染色液容器１５２と、検出液容器１５５と、微生物検出用流路１７３と、検出液廃棄容器１５６は、溶液用流路１５７１〜１５７４により直列に連結されている。
【００２５】
図２の場合、溶液用流路１５７１〜１５７４の深さ及び流路幅は例えば１０μｍ〜１ｍｍ、通気用流路１５８１〜１５８４の深さ及び流路幅は例えば１０μｍ〜１ｍｍの範囲で形成され、溶液用流路１５７１〜１５７４の断面積は通気用流路１５８１〜１５８４の断面積より大きくなるように形成される。
【００２６】
検体容器１５１の体積は、検体１５１１の体積より大きい。微生物染色液容器１５２の体積は、検体１５１１と微生物染色液１５２１の合計体積より大きい。検出液容器１５５の体積は、検体１５１１、微生物染色液１５２１の合計体積より大きい。また、検体容器−微生物染色液容器間流路１５７１の最高点は、検体容器１５１中の検体１５１１の水位より高くなるように形成される。これと同様に、微生物染色液容器−検出液容器間流路１５７２の最高点は、検体１５１１と微生物染色液１５２１の混合液の水位より高くなるように形成される。さらに、検出液容器−微生物検出用流路間流路１５７３の最高点は、検体１５１１、微生物染色液１５２１からなる検出液（混合液）の水位より高くなるように形成される。
【００２７】
微生物染色液１５２１は、微生物検査チップ１０内に前もって封入されている。検体１５１１は、検査前に通気口１５９１から検体容器１５１に注入する。
【００２８】
微生物検査チップの構成例としては、特開２００８−１５７８２９号公報に記載されているような他の構成例でも良い。例えば、微生物染色液容器１５２で検体と染色液を混合、反応させて、そのまま検出液を保持するようにし、検出液容器１５５を省略しても良い。また、複数の染色液を用いる場合、複数の染色液を同一の微生物染色液容器に保持しないで、微生物染色液容器を複数設け、第一の染色液による染色が完了後に、第二の染色液を保持する微生物染色液容器に混合液を流動させ、第二の染色液と混合、反応させて、最終的な検出液とするようにしても良い。
（Ｃ）微生物検査チップの微生物検出部の構造例
図３Ａ及び図３Ｂを用い、微生物検査チップ１０のうち微生物検出部１７の構造を説明する。図３Ａは、微生物検査チップ１０の本体１５と微生物検出部１７の接合部の断面図を示す。図３Ｂは、微生物検出部１７の分解斜視図を示す。本実施例で用いる微生物検出部は特許文献１に詳述されている。
【００２９】
本体１５と微生物検出部１７はそれぞれ別工程で作製され、それぞれを接合する。まず、微生物検出部１７の製造方法を説明する。微生物検出部１７はカバー部材１７１と流路部材１７２からなり、両者は共に薄い平板からなる。流路部材１７２には溝１７３１が形成されており、この溝１７３１の両端には貫通孔１７４１、１７５１が形成されている。溝１７３１が形成された面が張り合わせ面となるように、カバー部材１７１と流路部材１７２を張り合わせる。この貼り合わせにより微生物検出部１７が形成される。流路部材１７２の溝１７３１とカバー部材１７１によって微生物検出用流路１７３が構成される。流路部材１７２の貫通孔１７４１、１７５１によって、微生物検出用流路入口１７４と微生物検出用流路出口１７５が構成される。
【００３０】
一方、本体１５に形成された検出液容器−微生物検出用流路間流路１５７３は、その下端にて流路方向を変更し、本体１５の表面に開口を形成している。同様に、微生物検出用流路−検出液廃棄容器間流路１５７４は、その上端にて流路方向を変更し、本体１５の表面に開口を形成している。検出液容器−微生物検出用流路間流路１５７３の開口は、微生物検出用流路入口１７４に接続され、微生物検出用流路−検出液廃棄容器間流路１５７４の開口は、微生物検出用流路出口１７５に接続されている。
【００３１】
本体１５には検出用窓枠部１６１が形成されている。検出用窓枠部１６１は、貫通孔、又は、貫通溝である。検出用窓枠部１６１は、検出液容器−微生物検出用流路間流路１５７３の開口と微生物検出用流路−検出液廃棄容器間流路１５７４の開口の間に形成されている。製造された微生物検出部１７は、前述したように、本体１５に装着される。図３Ａに示すように、本体１５の検出用窓枠部１６１の上に微生物検出用流路１７３が配置されるように、微生物検出部１７を装着する。
【００３２】
本実施例の場合、微生物検出用流路１７３の背後に、本体１５の貫通孔又は貫通溝である検出用窓枠部１６１が設けられる。従って、励起光１１３は、微生物検出部１７のみを照射し、本体１５を照射しない。このため、背景光の増加の原因となる本体１５からの反射光や自家蛍光は発生しない。微生物検出用流路１７３を通過した励起光１１３が、本体１５に照射されないためには、検出用窓枠部１６１を構成する貫通孔の断面は、励起光１１３の放射方向に沿って増加することが好ましい。
【００３３】
カバー部材１７１の厚さは、例えば０．０１μm〜１ｍｍとする。流路部材１７２の厚さは、例えば０．０１μm〜１ｍｍとする。微生物検出用流路１７３の断面形状は、例えば正方形、長方形、台形に形成する。微生物検出用流路１７３の断面寸法は、大きいほど圧力損失は小さくなるが、微生物を一個ずつ流すためには小さいほうが良い。微生物検出用流路１７３の断面の一辺は、例えば１μｍ〜１ｍｍが好ましく、長さは例えば０．０１ｍｍ〜１０ｍｍが好ましい。微生物検出用流路１７３に照射する励起光１１３の光軸は、微生物検出用流路１７３の方向ベクトルに対して垂直になる。
【００３４】
微生物検出部１７を構成する材料について説明する。微生物検査チップ１０はディスポーザブルである。すなわち、使用後、微生物検出部１７は本体１５と共に廃棄する。そのため、微生物検出部１７に用いる材料は、安価でなければならない。微生物検出部１７に用いる材料は、蛍光計測に好適なように、光学特性に優れている必要がある。すなわち、自家蛍光が低く、光透過性、面精度、屈折率などに優れていることが望ましい。微生物からの蛍光の検出を阻害しないためには、微生物検出部１７自身が発生する自家蛍光量が、微生物からの蛍光量に比べて十分小さいことが好ましい。
【００３５】
微生物検出部１７の表面に、曲面、凹凸等が存在すると、表面における光の屈折、又は、乱反射により微生物計測用流路１７３に照射される励起光１１３の光量が変動する。そのため、検出される蛍光量も変動し、計測精度が低下する。そのため、微生物検出部１７の表面は、所望の平面度を有する必要がある。微生物検出部１７は、凹凸が０．１ｍｍ以下の平面度を有することが好ましい。
【００３６】
このような条件を考慮すると、微生物検出部１７に用いる材料には、ガラス、石英、ポリメタクリル酸メチルエステル（ＰＭＭＡ）、ポリジメチルシロキサン（ＰＤＭＳ）、シクロオレフィンポリマー（ＣＯＰ）、ポリエチレンテレフタラート、ポリカーボネイト等が考えられる。微生物検出部１７は、これらの物質から選択された１種類以上の物質から形成される。
【００３７】
カバー部材１７１は単なる平板であるが、流路部材１７２は平板に溝及び貫通孔を形成したものである。従って、流路部材１７２は、微細加工が容易で、且つ、加工費が安価な材料によって形成される。ガラス、及び、石英は、光学特性が優れているが、微細加工が容易でない。すなわち、微細加工を行うと、加工費が高くなる。
【００３８】
そこで、この形態例の場合、カバー部材１７１をガラス又は石英によって構成し、流路部材１７２をポリメタクリル酸メチルエステル、ポリジメチルシロキサン、シクロオレフィンポリマー、ポリエチレンテレフタラート、ポリカーボネイトによって構成する。なお好ましくは、流路部材１７２をポリジメチルシロキサンによって構成する。この場合、カバー部材１７１と流路部材１７２の接合には、ポリジメチルシロキサンの自己接着性を利用する。
【００３９】
微生物検出部１７の自家蛍光量は、材料ばかりでなく、微生物検出部の厚さ寸法にも依存する。自家蛍光量を少なくするには、微生物検出部の厚さ寸法を小さくすれば良い。微生物検出部１７の厚さが小さいほど、微生物検出部１７から発生する自家蛍光量は少なくなる。しかしながら、カバー部材１７１及び流路部材１７２の厚さ寸法を小さくすると、製造が困難になり、平面度が悪化する。必要な平面度を保ち、微生物の蛍光の検出を阻害しないように自家蛍光量を抑制するには、これらの部品の厚さ寸法は、所定の範囲に制限するする必要がある。
【００４０】
ガラス、石英、ポリジメチルシロキサンの自家蛍光量はほぼ同等である。そこで、カバー部材１７１をガラス又は石英によって製造する場合、その厚さは、例えば０．０５ｍｍ以上１ｍｍ以下が好ましい。流路部材１７２を、ポリジメチルシロキサンによって製造する場合、その厚さは例えば０．１ｍｍ以上１ｍｍ以下が好ましい。
【００４１】
また、カバー部材１７１及び流路部材１７２を、シクロオレフィンポリマー、ポリメタクリル酸メチルエステル、ポリエチレンテレフタラート、又は、ポリカーボネイトによって製造しても良い。この場合、ガラス、又は、石英によってカバー部材１７１を製造し、ポリジメチルシロキサンによって流路部材１７２を製造する場合より、単位体積当たりの自家蛍光量が約３倍以上増加する。そのため、カバー部材１７１及び流路部材１７２の厚さは例えば０．０１ｍｍ以上０．３ｍｍ以下が好ましい。
（Ｄ）圧力供給装置の構成例
圧力供給装置１４の詳細を説明する。圧力供給装置１４は、レギュレータ１４１１付のエアポンプ１４１を有する。エアポンプ１４１は、チップ連結管１４４１〜１４４４によって微生物検査チップ１０の各通気口１５９１〜１５９４と接続されている。チップ連結管１４４１〜１４４４には、バルブ１４２１〜１４２４がそれぞれ設けられている。バルブ１４２１〜１４２４を開閉することにより、微生物検査チップ１０内の各容器に所定の圧力の気体を供給し、又は、微生物検査チップ１０内の各容器を大気開放する。この圧力の制御により、微生物検査チップ１０内における検体や試薬の搬送を実現する。この圧力の制御による、微生物検査チップ１０内における検体や試薬の搬送は、特開２００８−１５７８２９号公報に詳述されている。
【００４２】
なお、バルブ１４２４と検出液容器１５５を接続するチップ連結管１４４４には流量センサー１４１２を接続しており、バルブ１４２４から検出液容器１５５へ流入する空気の流れにより発生するチップ連結管１４４４内の差圧を測定して流動状態の情報とする。
【００４３】
また、図４に示すように、流量センサーは差圧計１４１３であっても良い。この場合、差圧を発生しやすくするために流路抵抗１４１４を配置し、その両端の差圧を測定すると空気漏れなどのより微量の流量を測定できる。
（Ｅ）検出装置の構成例
検出装置１１は、励起光源１１１と、散乱光検出部と、蛍光検出部とで構成される。このうち、散乱光検出部は、微生物検出用流路１７３を通過する微生物からの散乱光１２４を検出するための散乱光検出器１２３と、励起光源１１１からの励起光１１３が散乱光検出器１２３に直接入射することを防ぐための遮光板１２２とから構成される。一方、蛍光検出部は、微生物検出用流路１７３を通過する微生物からの蛍光１２１を集光し、平行光にする対物レンズ１１４と、励起光１１３を微生物検出部１７の方向に反射する一方で蛍光１２１は透過するダイクロイックミラー１１２と、蛍光１２１を通過するバンドパスフィルタ１１７と、平行光を集光させるための集光レンズ１１８と、迷光をカットするための空間フィルタとして用いるピンホール１１９と、バンドパスフィルタ１１７を通過した光を検出する光検出器１２０とで構成される。なお、照射部及び検出部は、互いの焦点が重なるように配置されている。
【００４４】
測定を開始する前（検出液を微生物検出用流路に流す前）に微生物検出用流路１７３を励起光の焦点の位置に調整する。この位置合わせ工程について説明する。検出装置１１の励起光源１１１から出力された励起光１１３を微生物検出用流路１７３に照射し、微生物検出用流路１７３から生じる散乱光の光量と微生物検出部１７から生じる蛍光の光量をそれぞれ検出することにより、Ｘ−Ｙステージ１２５の可動位置と各光量との関係をプロファイルとして取得する。また、検出装置１１は、取得されたプロファイルに基づいてＸ−Ｙ可動ステージ１２５を可動制御し、微生物検査チップ１０（具体的には、微生物検出用流路１７３）を検出に適した位置に合わせる。即ち、散乱光検出部で検出される散乱光の光量が最大となる微生物検出用流路の位置を励起光の光軸と一致させ、蛍光検出部で検出される蛍光量が最大となる微生物検出用流路の位置に励起光の焦点を一致させる。この位置合わせについては特許文献１に詳述されている。位置合わせについては、他の方法、例えば、特許文献２に記載の方法を用いても良い。この場合、微生物検査チップに位置合わせ用試薬等の保持容器や溶液用流路、通気用流路等を設ける。
【００４５】
測定開始後は、微生物検出用流路に検体１５１１と染色液１５２１から成る検体液が流れることで検体液が発生する蛍光を光検出器１２０で検出することにより、位置状態の情報とする。
（Ｆ）計測方法（検査方法）
以下、本実施例に係る微生物検査装置１を用いて、食品由来の検体中の生菌数を計測する場合の計測方法を説明する。図５に、微生物検査チップ１０を用いた生菌数計測の工程をフローチャートで示す。
【００４６】
Ｘ−Ｙ可動ステージ１２５への微生物検査チップ１０の装着前に、通気口１５９１から検体容器１５１に検体１５１１を注入する（Ｓ９０１）。ここで使用した検体１５１１は、検査する食品に対し質量比１０倍の生理食塩水を加え、ストマッキング処理を行ったものである。
【００４７】
次に、微生物検査チップ１０を微生物検査装置のＸ−Ｙ可動ステージ１２５に装着する（Ｓ９０２）。
【００４８】
微生物検査チップ１０をＸ−Ｙ可動ステージ１２５に装着後の測定工程は、検体から食品残渣を取り除いて検体中の微生物を染色する前処理工程（Ｓ９０３〜Ｓ９０５）と、微生物検査チップ１０の位置合わせを行う位置合わせ工程（Ｓ９０７）と、生菌数を実際に測定する生菌数計測工程（Ｓ９０８）から構成される。
【００４９】
位置合わせ工程（Ｓ９０７）と前処理工程（Ｓ９０３〜Ｓ９０５）は独立した工程であるため並列して行うことができ、両工程が終了した段階で生菌数計測工程（Ｓ９０８）を行う。続いて各工程について説明する。
【００５０】
前処理工程では、まず、検体１５１１が微生物染色液容器１５２に移動される（Ｓ９０３）。検体容器通気口１５９１を介して検体容器１５１に対して圧力供給装置１４の圧力を加え、検体容器１５１内の気圧を上げる。同時に、微生物染色液容器通気口１５９２を介して微生物染色液容器１５２の内圧を大気圧に開放する。気圧差により、検体１５１１は、微生物染色液容器１５２に入り、微生物染色液１５２１と混合される。検体１５１１が微生物染色液容器１５２に流動する際に、検体１５１１に含まれる食品残渣が食品残渣除去部１６０によって取り除かれる。
【００５１】
食品残渣が取り除かれた検体１５１１は微生物染色液容器１５２において染色液１５２１と混合される。本実施例における染色液は、死菌を染色するための死菌染色液と全菌を染色するための全菌染色液の混合液であり、死菌染色液には、例えば、死微生物用シアニン系蛍光色素（終濃度：０．０１ｍＭ〜１０ｍＭ）、ＰＩ（プロピディウムイオダイド）（０．１ｍｇ/ｍｌ〜２０ｍｇ/ｍｌ）、ＥＢ（エチジウムイオダイド）（０．１ｍｇ/ｍｌ〜２０ｍｇ/ｍｌ）を使用し、全菌染色液には、例えば、全微生物用シアニン系蛍光色素（０．１ｍＭ〜１０ｍＭ）、ＬＤＳ７５１（０．１ｍｇ/ｍｌ〜２０ｍｇ/ｍｌ）、ＤＡＰＩ（４'、６−ヂアミジン−２'−フェニルインドール）（０．１ｍｇ/ｍｌ〜２０ｍｇ/ｍｌ）、ＨＯＥＣＨＳＴ３３２５８（０．１ｍｇ/ｍｌ〜２０ｍｇ/ｍｌ）、ＨＯＥＣＨＳＴ３４５８０（０．１ｍｇ/ｍｌ〜２０ｍｇ/ｍｌ）などを使用する。溶媒にはＤＭＳＯ（ジメチルスルオキシド）、エタノール類、水などを使用する。
【００５２】
微生物染色液容器１５２における検体１５１１と染色液１５２１との混合には、バブリングにより混合を促進する（Ｓ９０４）。バブリングは、例えば、検出液容器通気口１５９３を介して圧力供給装置１４の圧力を検出液容器１５５に加え、また、微生物染色液容器通気口１５９２を介して微生物染色液容器１５２を大気開放する。空気は、検出液容器１５５から微生物染色液容器−検出液容器間流路１５７２を通って、検体１５１１と染色液１５２１の混合液を保持する微生物染色液容器１５２の下方から流入して、気泡となり、混合液の下から上まで上昇する際に混合液を撹拌し、混合を促進する。
【００５３】
検体１５１１中の死菌は、死菌染色液（ここではＰＩ（ピーク波長５３２ｎｍ）を使用する。）と全菌染色液（ここではＬＤＳ７５１を（ピーク波長７１０ｎｍ）使用する。）により染色され、一方、検体１５１１中の生菌は全菌染色液のみにより染色される。
【００５４】
二液の混合液の水位は、微生物染色液容器１５２と検出液容器１５５を連結する微生物染色液容器−検出液容器間流路１５７２の最高点を越えず、さらに微生物染色液容器１５２中に入っている空気は、微生物染色液容器通気口１５９２を介して外部に放出される。微生物染色液容器１５２の気圧は大気圧と等しいため、二液の混合液は検出液容器１５５に押し出されず、混合液を反応に必要な時間中（例えば３０分〜１時間程度）、微生物染色液容器１５２に保持することができる。
【００５５】
このとき、混合液の検出液容器１５５への流入を防ぐ目的で、各通気口１５９３〜１５９４に対して圧力供給装置１４からの圧力を加え、検体容器１５１の気圧より低い範囲まで検出液容器１５５と検出液廃液容器１５６の気圧を上げても良い。
【００５６】
なお、染色中は、微生物検査チップ１０の温度を一定に保つことにより、温度変化による染色の影響を小さくすることが望ましい。
【００５７】
次に、検体１５１１と染色液１５２１から成る検出液（混合液）を、検出液容器１５５に移動させる（Ｓ９０５）。
【００５８】
これらの前処理工程と並行して実行される微生物検査チップ１０の位置合わせは、上述したように、微生物検出用流路１７３を励起光の焦点の位置に調整するものである。
【００５９】
以上の動作が終了すると、検体１５１１と微生物染色液１５２１からなる検出液が微生物検出用流路１７３に移動され、検体中の生菌を蛍光フローサイトメトリー法により計測する。（Ｓ９０８）。図１に示すように、紙面垂直方向より、励起光１１３が照射される。このため、微生物を染色した色素からの蛍光と、微生物による散乱光が生じる。検出装置１１は、生菌については全菌染色液の蛍光のみを検出し、死菌については全菌染色液と死菌染色液の蛍光を検出する。このため、生菌と死菌の判別が可能になる。また、散乱光の光量は菌体の大きさにより変わるため、菌体の大きさの判別も可能になる。尚、図１では一つの光検出器１２０が図示されているが複数の染色液（死菌染色液と全菌染色液）を用いる場合には、それぞれの染色液からの蛍光のピーク波長に対応して光検出器等が設けられる。すなわち、蛍光分離用ダイクロイックミラーや、短波長バンドパスフィルタ、長波長バンドパスフィルタ、短波長用光検出器、長波長用光検出器等が設けられる。これらの構成は、例えば、特開２００８−１５７８２９号公報や、特許文献１、特許文献２などに詳述されている。
（Ｇ）計測状態の把握
計測状態を把握するために流動状態と位置状態の情報認識について図６〜図１２を用いて説明する。なお、本実施例では、流量センサーは図４で示す差圧計１４１３を用いている。
【００６０】
図６は計測状態が正常な場合を示している。すなわち、微生物検出用流路１７３に検出液が所定量の流量で流れ（図中の長矢印で表現）、かつ、励起光１１３が微生物検出用流路１７３に照射している状態である。このとき、微生物検出用流路１７３に流れる検出液の流量は微量のため、検出液容器−微生物検出用流路間流路１５７３に、検出液容器１５５や検出液容器通気流路１５８３、検出液容器通気口１５９３を介して接続している差圧計１４１３は低い値を示す。また、検出液が励起光１１３に照射されて蛍光を発して光検出器１２０が検出し、蛍光強度は高い値を示す。このように、計測状態が正常の場合は、差圧値が低く、かつ、蛍光強度が強くなる。
【００６１】
図７は位置ずれが発生している計測状態を示している。すなわち、微生物検出用流路１７３に検出液１５５１が所定量の流量で流れ（図中の長矢印で表現）、かつ、励起光１１３が微生物検出用流路１７３に照射していない状態である。このとき、微生物検出用流路１７３に流れる検出液１５５１の流量は微量のため、検出液容器−微生物検出用流路間流路１５７３に接続している差圧計１４１３は低い値を示す。また、検出液１５５１が励起光１１３に照射されないため蛍光を発せず、光検出器１２０が蛍光を検出しない。このため、蛍光強度は低い値を示す。このように、計測状態が位置ずれの場合は、差圧値が低く、かつ、蛍光強度が弱くなる。
【００６２】
図８は流体の漏れが発生している計測状態を示す。すなわち、微生物検出用流路１７３に検出液１５５１が所定の流量で流れず（図中の短矢印で表現）、かつ、励起光１１３が微生物検出用流路１７３に照射している状態である。このとき、チップ連結管１４４４と検出液容器通気口１５９３の接続部で空気が漏れているため、検出液容器−微生物検出用流路間流路１５７３に接続している差圧計１４１３は高い値を示す。また、検出液１５５１が励起光１１３に照射されて蛍光を発して光検出器１２０が検出し、蛍光強度は高い値を示す。このように、流体の漏れが発生している計測状態の場合は、差圧値が高く、かつ、蛍光強度が強くなる。
【００６３】
図９は位置ずれと流体の漏れが発生している計測状態を示している。すなわち、微生物検出用流路１７３に検出液１５５１が所定の流量で流れず（図中の短矢印で表現）、かつ、励起光１１３が微生物検出用流路１７３に照射していない状態である。このとき、チップ連結管１４４４と検出容器通気口１５９３の接続部で空気が漏れているため、検出液容器−微生物検出用流路間流路１５７３に接続している差圧計１４１３は高い値を示す。また、検出液１５５１が励起光１１３に照射されないため蛍光を発しない。光検出器１２０が蛍光を検出しないため、蛍光強度は低い値を示す。このように、位置ずれと流体の漏れが発生する計測状態の場合は、差圧値が高く、かつ、蛍光強度が弱くなる。
【００６４】
図１０は流路に詰まりが発生している計測状態を示している。すなわち、微生物検出用流路１７３に詰まり１５５２が発生しているため検出液１５５１が滞留し（図中の無矢印で表現）、かつ、励起光１１３が微生物検出用流路１７３に照射している状態である。このとき、微生物検出用流路１７３の検出液１５５１は停滞しているため、検出液容器−微生物検出用流路間流路１５７３に接続している差圧計１４１３は低い値を示す。また、検出液１５５１が励起光１１３に照射されて蛍光を発して光検出器１２０が蛍光を検出し、蛍光強度は高い値を示す。このように、流路に詰まりが発生しているものの励起光１１３が微生物検出用流路１７３に照射している計測状態では、計測状態が正常の場合と同様に、差圧値が低く、かつ、蛍光強度が強くなる。
【００６５】
ここで、図６の計測状態が正常の場合と、図１０の計測状態は流路に詰まりが発生している状態の場合は、ともに、差圧値が低く、かつ、蛍光強度が強い状態となる。これらの計測状態を区別して、計測状態を特定するには、光検出器１２０が検出する菌数頻度（検出数頻度）の分布から判断する。計測状態が正常の場合は、菌数の頻度分布は図１１Ａのように一様となり、計測状態が流路に詰まりを発生している場合は、菌数の頻度分布は図１１Ｂのようにむらになる。すなわち、詰まりが発生し、検出液１５５１が滞留している場合には、ある程度の時間が経過すると菌数が計測されなくなる。
【００６６】
以上の各計測状態と位置状態及び流動状態との関係を纏めると図１２の通りとなる。このように、微生物検査チップの位置合わせを実施した後も、引続き、生菌数の計測中に、検出液の流動状態として流量センサー（差圧計）から情報と、微生物検出用流路と励起光の光学的な位置状態として光検出器からの情報と得るようにして、計測状態を把握することが可能となる。また、光検出器からの蛍光強度について菌数頻度分布の情報を得るようにすることにより空気漏れ以外の異常も認識することができる。
【００６７】
計測状態と位置状態及び流動状態は、出力装置１９に表示するようにしても良い。すなわち、生菌数の計測結果を出力する際に、流量センサー（差圧計）から得られる流動状態の情報と光検出器から得られる蛍光強度の強弱の情報を併せて出力する。または、生菌数の計測結果を出力する際に、流量センサー（差圧計）から得られる流動状態の情報と光検出器から得られる蛍光強度の強弱の情報から図１２に示す関係に基づき、計測結果が正常な動作に基づくものであるか、即ち、異常がないかを判断して、計測状態が正常か異常かも併せて出力する。また、異常と判断される場合、図１２に示す関係に基づき、微生物検査装置の異常原因を推定し、その原因を出力する。または、微生物の検出信号がない又は所定値よりも小さい場合、流量センサー（差圧計）から得られる流動情報又は光検出器から得られる蛍光強度の強弱の情報に基づき微生物検査装置に異常がないか判断し、その結果を出力するようにしても良い。
【００６８】
上述の実施例によれば、流量センサー（差圧計）から得られる流動状態の情報と光検出器から得られる菌数頻度分布の情報とに基づき、検出液の流動状態として正常な流動、異常な流動（流体の漏れ、流路の詰まり）を認識することができ、光検出器から得られる蛍光強度の強弱の情報に基づき光学検出の位置状態として正常な検出位置、異常な検出位置（位置ずれ）を認識することができ、流動状態と位置状態から計測状態として正常か異常かを把握することができる。特に、検出液に微生物が少ない場合に、それが微生物検査装置側に何らかの異常があることに基づく計測結果なのか、正常な計測状態での計測結果であるかを把握することが可能になる。
【００６９】
尚、上述の実施例では、流動状態と位置状態の両方について判断しているが、何れか一方の判断をする場合にも適用可能である。
【符号の説明】
【００７０】
１…微生物検査装置、１０…微生物検査チップ、１１…検出装置、１４…圧力供給装置、１７…微生物検出部、１８…システム装置、１９…出力装置、１１１…励起光源、１１２…ダイクロイックミラー、１１３…励起光、１１４…対物レンズ、１１９…ピンホール、１２０…光検出器、１２１…蛍光、１２４…散乱光、１２５…Ｘ−Ｙ可動ステージ、１４１…エアポンプ、１４１１…レギュレータ、１４１２…流量センサー、１４１３…差圧計、１４１４…流路抵抗、１５１…検体容器、１５１１…検体、１５２…微生物染色液容器、１５２１…染色液、１５５…検出液容器、１５５１…検出液、１５６…検出液廃棄容器、１５７１〜１５７４…溶液用流路、１５８１〜１５８４…通気用流路、１５９１〜１５９４…通気口、１６１…検出用窓部、１７３…微生物検出用流路。
【図１】
2013044585.tif 000003
【図２】
2013044585.tif 000004
【図３Ａ】
2013044585.tif 000005
【図３Ｂ】
2013044585.tif 000006
【図４】
2013044585.tif 000007
【図５】
2013044585.tif 000008
【図６】
2013044585.tif 000009
【図７】
2013044585.tif 000010
【図８】
2013044585.tif 000011
【図９】
2013044585.tif 000012
【図１０】
2013044585.tif 000013
【図１１Ａ】
2013044585.tif 000014
【図１１Ｂ】
2013044585.tif 000015
【図１２】
2013044585.tif 000016